(57)【要約】【課題】２匹のペットをそれぞれ個別に収納する収納部を有するものでありながら、構成が簡単で取り回しが容易なペット用カートを提供する。【解決手段】走行フレーム１０の左右のメインフレーム１１の間に上面視の形状が額縁状の保持フレーム１４を固定する。下収納部２０は、前折り返し２１、横折り返し２２等を保持フレーム１４に係止することで、保持フレーム１４により、吊り下げられるようにして保持される。一方、上収納袋３０は、フレーム本体３１の内側に収納袋本体３２を嵌め込むようにして構成されており、フレーム本体３１を保持フレーム１４に載せるようにして保持される。共通の保持フレーム１４により、下収納袋２０と上収納袋３０とを上下２段に保持するので、構成が簡単で、占有面積が増加しないので、取り回しも容易である。【選択図】図１
0003133057.tif 000002
【実用新案登録請求の範囲】
【請求項１】
キャスタを有する走行フレームと、前記走行フレームに搭載されたペット収納袋と、を備えたペット用カートにおいて、
前記走行フレームは、左のサイドフレームと、右のサイドフレームと、これら左右のサイドフレームを連結する保持フレームと、を有し、
前記ペット収納袋は、上端側を前記保持フレームに係合させることで吊り下げられるように保持される下収納袋と、下端側を前記保持フレームに載せるようにして積載される着脱自在な上収納袋と、によって上下２段に構成されている、
ことを特徴とするペット用カート。
【請求項２】
前記保持フレームは、前記左のサイドフレームに固定された前後方向の左フレームと、前記右のサイドフレームに固定された前後方向の右のフレームと、前記左右のフレームのそれぞれの前端側を連結する前フレームと、前記左右のフレームのそれぞれの後端側を連結する後フレームと、によって上面視がほぼ額縁状に形成されており、
前記上収納袋は、前記前フレーム及び後フレーム上に載置される、
ことを特徴とする請求項１に記載のペット用カート。
【請求項３】
前記左のサイドフレーム及び右のサイドフレームは、前記保持フレームよりも高い位置に位置するグリップを有する、
ことを特徴とする請求項２に記載のペット用カート。
【請求項４】
前記下収納袋は、シート状部材によってほぼ直方体状に形成されており、少なくとも上面が前記保持部材に対応した形状に形成されるとともに、上面と側面とが交差する稜部近傍から延びるシート状の折り返しを前記保持フレームに巻き付けるようにして前記保持フレームによって保持されている、
ことを特徴とする請求項２又は３に記載のペット用カート。
【請求項５】
前記下収納袋は、上面と前面とに開閉自在な開閉扉を有する、
ことを特徴とする請求項４に記載のペット用カート。
【請求項６】
前記下収納袋は、後面に開閉自在な開閉扉を有する、
ことを特徴とする請求項５に記載のペット用カート。
【請求項７】
前記開閉扉は、内側に配設された風通しのよい通気性シート状部材と、外側に配設された光を通さない非透光性シート状部材との２重構造になっている、
ことを特徴とする請求項５又は６に記載のペット用カート。
【請求項８】
前記非透光性シート状部材を開放した状態で保持する保持部材を有する、
ことを特徴とする請求項７に記載のペット用カート。
【請求項９】
前記下収納袋は、側面における内側に、保温剤又は保冷剤を収納するための内ポケットを有する、
ことを特徴とする請求項１ないし８のいずれか１項に記載のペット用カート。
【請求項１０】
前記下収納袋は、内側の底部に、表裏反転して使用することで、底部からの高さを変更しうるほぼ板状の床部材を有する、
ことを特徴とする請求項１ないし９のいずれか１項に記載のペット用カート。
【請求項１１】
前記左右のサイドフレームの下端側を相互に連結する連結部材を有し、
前記下収納袋は、下面に、前記連結部材に係止される固定バンドを有する、
ことを特徴とする請求項１ないし１０のいずれか１項に記載のペット用カート。
【請求項１２】
前記保持フレームは、前記前フレームから前方に向けて、また後フレームから後方に向けて突出された係合凸部を有し、
前記上収納袋は、フレーム本体とフレーム本体の内側に嵌め込まれた収納部とを有し、前記フレーム本体の下端側に、前記係合凸部に対して係脱可能な係合凹部が形成されている、
ことを特徴とする請求項２ないし請求項１１のいずれか１項に記載のペット用カート。
【請求項１３】
前記フレーム本体は、開口された上面に、起立・倒伏可能な一対の把手を有する、
ことを特徴とする請求項１２に記載のペット用カート。
【請求項１４】
前記収納部は、前記フレーム本体に嵌め込まれ、上面に開口部を有する収納袋本体と、前記開口部の周端縁と前記一対の把手との間に取り付けられて、前記一対の把手の起立姿勢に対応して前記開口部を閉鎖するとともに、前記一対の把手の倒伏姿勢に対応して前記開口部を開放するメッシュ状部材とを有する、
ことを特徴とする請求項１３に記載のペット用カート。
【考案の詳細な説明】
【技術分野】
【０００１】
本考案は、ペットを運ぶためのペット用カートに関する。
【背景技術】
【０００２】
飼い主がペットを連れて外出する際に使用するペットキャリアが知られている。このものは、ボックス状あるいは袋状に形成された本体と、本体の上部に取り付けられた把手とを備えていて、本体の中にペットを入れて把手を持って持ち歩くものである。
【０００３】
ところが、ペットを入れた状態のペットキャリアを飼い主、特に年配者が長時間持ち続けることは大変な負担になる。
【０００４】
そこで、このような負担を軽減すべく、例えば、特許文献１に示すようなペット用カートが提案されている。このものは、ペットを収納する収納袋とこの収納袋を搭載する走行フレームとを有していて、走行フレームの下端にはキャスタが取り付けられている。使用者は、ベビーカーを押すのと同様にして、このペット用カートを使用することができるため、大きな負担を伴うことなく、ペットを連れて長時間、外出することができる。
【特許文献１】特開平２００６−２５４８０１号公報
【考案の開示】
【考案が解決しようとする課題】
【０００５】
しかしながら、上述のペット用カートによると、収納袋が１つであるため、２匹のペットを入れようとするとスペース的に窮屈になるおそれがある。これを解消するために例えば、左右方向あるいは前後方向に収納袋の寸法を延ばすことが考えられるが、この場合には、ペット用カートの左右方向あるいは前後方向の寸法が延びて、取り回しが悪くなるおそれがある。
【０００６】
また、２匹のペットを１つの収納袋に入れた場合、２匹が仲の悪いもの同士の場合には、例えば、お互いに吠え合って、通行人等に迷惑をかけたり、ペットにストレスが溜まったりするおそれがある。
【０００７】
そこで、本考案は、２匹のペットをそれぞれ個別に収納する収納部を有するものでありながら、構成が簡単で取り回しが容易なペット用カートを提供することを目的とするものである。
【課題を解決するための手段】
【０００８】
請求項１に係る考案は、キャスタを有する走行フレームと、前記走行フレームに搭載されたペット収納袋と、を備えたペット用カートにおいて、前記走行フレームは、左のサイドフレームと、右のサイドフレームと、これら左右のサイドフレームを連結する保持フレームと、を有し、前記ペット収納袋は、上端側を前記保持フレームに係合させることで吊り下げられるように保持される下収納袋と、下端側を前記保持フレームに載せるようにして積載される着脱自在な上収納袋と、によって上下２段に構成されている、ことを特徴としている。
【０００９】
請求項２に係る考案は、請求項１に係るペット用カートにおいて、前記保持フレームは、前記左のサイドフレームに固定された前後方向の左フレームと、前記右のサイドフレームに固定された前後方向の右のフレームと、前記左右のフレームのそれぞれの前端側を連結する前フレームと、前記左右のフレームのそれぞれの後端側を連結する後フレームと、によって上面視がほぼ額縁状に形成されており、前記上収納袋は、前記前フレーム及び後フレーム上に載置される、ことを特徴としている。
【００１０】
請求項３に係る考案は、請求項２に係るペット用カートにおいて、前記左のサイドフレーム及び右のサイドフレームは、前記保持フレームよりも高い位置に位置するグリップを有する、ことを特徴としている。
【００１１】
請求項４に係る考案は、請求項２又は３に係るペット用カートにおいて、前記下収納袋は、シート状部材によってほぼ直方体状に形成されており、少なくとも上面が前記保持部材に対応した形状に形成されるとともに、上面と側面とが交差する稜部近傍から延びるシート状の折り返しを前記保持フレームに巻き付けるようにして前記保持フレームによって保持されている、ことを特徴としている。
【００１２】
請求項５に係る考案は、請求項４に係るペット用カートにおいて、前記下収納袋は、上面と前面とに開閉自在な開閉扉を有する、ことを特徴としている。
【００１３】
請求項６に係る考案は、請求項５に係るペット用カートにおいて、前記下収納袋は、後面に開閉自在な開閉扉を有する、ことを特徴としている。
【００１４】
請求項７に係る考案は、請求項５又は６に係るペット用カートにおいて、前記開閉扉は、内側に配設された風通しのよい通気性シート状部材と、外側に配設された光を通さない非透光性シート状部材との２重構造になっている、ことを特徴としている。
【００１５】
請求項８に係る考案は、請求項７に係るペット用カートにおいて、前記非透光性シート状部材を開放した状態で保持する保持部材を有する、ことを特徴としている。
【００１６】
請求項９に係る考案は、請求項１ないし８のいずれか１項に係るペット用カートにおいて、前記下収納袋は、側面における内側に、保温剤又は保冷剤を収納するための内ポケットを有する、ことを特徴としている。
【００１７】
請求項１０に係る考案は、請求項１ないし９のいずれか１項に係るペット用カートにおいて、前記下収納袋は、内側の底部に、表裏反転して使用することで、底部からの高さを変更しうるほぼ板状の床部材を有する、ことを特徴としている。
【００１８】
請求項１１に係る考案は、請求項１ないし１０のいずれか１項に係るペット用カートにおいて、前記左右のサイドフレームの下端側を相互に連結する連結部材を有し、前記下収納袋は、下面に、前記連結部材に係止される固定バンドを有する、ことを特徴としている。
【００１９】
請求項１２に係る考案は、請求項２ないし請求項１１のいずれか１項に係るペット用カートにおいて、前記保持フレームは、前記前フレームから前方に向けて、また後フレームから後方に向けて突出された係合凸部を有し、前記上収納袋は、フレーム本体とフレーム本体の内側に嵌め込まれた収納部とを有し、前記フレーム本体の下端側に、前記係合凸部に対して係脱可能な係合凹部が形成されている、ことを特徴としている。
【００２０】
請求項１３に係る考案は、請求項１２に係るペット用カートにおいて、前記フレーム本体は、開口された上面に、起立・倒伏可能な一対の把手を有する、ことを特徴としている。
【００２１】
請求項１４に係る考案は、請求項１３に係るペット用カートにおいて、前記収納部は、前記フレーム本体に嵌め込まれ、上面に開口部を有する収納袋本体と、前記開口部の周端縁と前記一対の把手との間に取り付けられて、前記一対の把手の起立姿勢に対応して前記開口部を閉鎖するとともに、前記一対の把手の倒伏姿勢に対応して前記開口部を開放するメッシュ状部材とを有する、ことを特徴としている。
【考案の効果】
【００２２】
請求項１の考案によると、共通の保持フレームを使用して、下収納袋と上収納袋とを上下２段に保持することができるので、簡単な構成で、占有面積が少なく、取り回しが容易でありながら、２匹のペットをそれぞれ十分なスペースの中に個別に収納することができる。
【００２３】
請求項２の考案によると、上収納袋を前フレーム及び後フレーム上に載置するので、安定した状態で上収納袋を保持することができる。
【００２４】
請求項３の考案によると、左のサイドフレーム及び右のサイドフレームのグリップは、保持フレームよりも高い位置に位置するので、保持フレーム上に上収納袋が載置された際に、上収納袋が左右方向に不要に移動しないように規制することができる。
【００２５】
請求項４の考案によると、下収納袋の折り返しを保持フレームに巻き付けることにより、下収納袋を保持フレームによりつり下げるようにして保持することができる。
【００２６】
請求項５の考案によると、上面又は前面の開閉扉を開放することで、ペットを下収納袋に出し入れすることができる。
【００２７】
請求項６の考案によると、後面の開閉扉を開放することで、ペットを下収納袋に出し入れすることができる。
【００２８】
請求項７の考案によると、非透光性シート状部材を閉鎖することで、下収納袋の中のペットが外部を見ることを、また外部の通行人等が中のペットを見ることを禁止することができる。一方、非透光性シート状部材を開放することで、通気性シート状部材により、内側の通気性を向上させることができる。
【００２９】
請求項８の考案によると、保持部材によって、非透光性シート状部材の開放状態を維持することができる。
【００３０】
請求項９の考案によると、内ポケットに、例えば、保温剤や保冷剤を入れることで、内部を暖め、又は冷やすことが可能となる。
【００３１】
請求項１０の考案によると、床部材により、ペットを収納した際の、下収納袋の底部の型くずれを防止することができ、また、床部材を表裏反転させることで、ペットのサイズに合った床の高さを設定することができる。
【００３２】
請求項１１の考案によると、固定バンドにより、装着状態の下収納部材の下端側を安定させることができる。
【００３３】
請求項１２の考案によると、走行フレーム側の係合凸部に、上収納袋側の係合凹部を係合させる簡単な動作で、走行フレームに対して上収納袋を簡単に位置決めすることができる。
【００３４】
請求項１３の考案によると、起立姿勢の一対の把手を使用して、上収納袋を持ち運びしたり、走行フレームに装着したりすることができる。
【００３５】
請求項１４の考案によると、一対の把手を倒伏姿勢にすることで、メッシュ状部材が開放されるので、開口部を介してペットを出し入れすることができる。一方、一対の把手を起立姿勢とすることで、メッシュ状部材を閉鎖して、開口部を閉じることができる。
【考案を実施するための最良の形態】
【００３６】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３７】
図１〜図１５を参照して、本考案に係るペット用カート１について説明する。このうち図１は、ペット用カート１を左側からみた図である。また、図２は、走行フレーム１０を正面側斜め上方からみた図である。また、図３は、走行フレーム１０に、上収納袋３０のフレーム本体３１を載置した状態を、正面側斜め上方からみた図である。また、図４は、走行フレーム１０に下収納袋２０を装着した状態を、正面側斜め上方からみた図である。また、図５は、走行フレーム１０の保持フレーム１４に下収納袋２０を取り付ける方法を説明する図である。また、図６は、走行フレーム１０に装着された状態の下収納袋２０を下面側から見た図である。また、図７は、上収納袋２０の上面フラップ２４を巻き取った状態を説明する斜視図である。また、図８は、上収納袋２０の内側の内ポケット２６を説明する斜視図である。また、図９は、下収納袋２０の前面フラップ２７を持ち上げた状態を説明する正面から見た図である。また、図１０は、下収納袋２０の前面フラップ２７を巻き上げ、さらにメッシュカバー２８を開いた状態を示す斜視図である。また、図１１は、上収納袋３０の上面を開口した状態を説明する斜視図である。また、図１２は、上収納袋３０のフレーム本体３１を示す斜視図である。また、図１３は、手押しフレーム１５に取り付けたバーパッド５２を説明する斜視図である。また、図１４は、ペット用カート１の背面側に取り付けたラック５３、物入れ５１を説明する図である。また、図１５は、下収納袋２０の下面に取り付けたハンモック５４を示す図である。また、図１６は、走行フレーム１０側の係合ピン１４ａと、上収納袋２０側のギャップＧとの係合状態を説明する拡大図である。
【００３８】
図１に示すように、ペット用カート１は、走行フレーム１０と、この走行フレーム１０に搭載（保持）された２段の収納袋、すなわち下収納袋２０と上収納袋３０とを備えている。
【００３９】
走行フレーム１０は、図２に示すように、左のサイドフレーム１０Ａと、右のサイドフレーム１０Ｂと、これら左右のサイドフレーム１０Ａ，１０Ｂの間に配設されて、これらを連結する保持フレーム１４とを備えている。
【００４０】
左右のサイドフレーム１０Ａ，１０Ｂは、メインフレーム１１とサブフレーム１２とを有していて、それぞれのメインフレーム１１は、前側部分１１ｂが、前側下方から斜め後方に向かって立ち上がり、上端側で屈曲して水平に後方に延びるグリップ１１ａを構成し、このグリップ１１ａの後端側で屈曲して斜め前方に下降する後側部分１１ｃを形成している。左右のグリップ部１１ａ，１１ａは、後述する保持フレーム１４から上方に突出するように配置されている。左右のグリップ部１１ａ，１１ａは、これにより、後述するように、上収納部３０を保持フレーム１４に上方から装着する際のガイドとなり、また、上収納袋３０の装着後には、上収納袋３０が左右方向に大きくずれることを防止している。一方、それぞれのサブフレーム１２は、後側下方から斜め前方に向かって立ち上がり、上端部が上述のメインフレーム１１の前側部分１１ｂの上端側に揺動自在に連結されている。
【００４１】
左右のメインフレーム１１，１１は、前側部分１１ｂ，１１ｂの下端側が前の連結バー１３によって連結されており、また、左右のサブフレーム１２，１２は、下端側が後の連結バー１３によって連結されている。これらメインフレーム１１，１１、サブフレーム１２，１２の下端には、それぞれキャリヤ１７が取り付けられている。これら４つのキャスタ１７のうち、前側の２つのキャスタ１７は、垂直な軸に対して回転可能に取り付けられている。これにより、走行フレーム１０全体は、容易に進行方向を変えられるようになっている。
【００４２】
左右のメインフレーム１１，１１の後側部分には、折りたたみ機構１８，１８を介して、手押しフレーム１５が取り付けられている。手押しフレーム１５は、逆「Ｕ」形に形成されていて、左の下端部及び右の下端部には、それぞれ延長リンク１６，１６が連結されており、これら延長リンク１６，１６の下端は、上述のサブフレーム１２の中間部分に揺動自在に連結されている。手押しフレーム１５は、上端に、左右方向に向いた手押し部１５ａを有している。ペットの飼い主は、この手押し部１５ａを押すことで、ペット用カート１全体を走行させることができる。なお、手押しフレーム１５は、折りたたみ機構１８，１８を操作することで、延長リンク１６，１６との接続部から屈曲して折りたたむことができるようになっている。
【００４３】
保持フレーム１４は、左のメインフレーム１１に固定された前後方向の左フレーム１４ｂと、右のメインフレーム１１に固定された前後方向の右のフレーム１４ｃと、これら左フレーム１４ｂ，右フレーム１４ｃのそれぞれの前端側を連結する前フレーム１４ｄと後端側を連結する後フレーム１４ｅと、によって上面視がほぼ額縁状になるように形成されている。前フレーム１４ｄの前面側の中央には、係合ピン（係合凸部）１４ａが前方に向けて突設されており、同様に、後フレーム１４ｅの後面側の中央には、係合ピン（係合凸部）１４ａが後方に向けて突設されている。これら係合ピン１４ａ，１４ａには、後述する上収納袋２０のフレーム本体３１のギャップ（係合凹部）Ｇが上方から係合される。これにより、上収納袋３０は、保持フレーム１４に対して位置決めされた状態で装着されるとともに、装着後の位置ずれを防止するようにしている。なお、保持フレーム１４は、係合ピン１４ａ，１４ａを含め、前後方向の中央を左右に横切る線を基準として、前端側と後端側とが線対称に構成されており、これにより、後述する上収納袋３０は、保持フレーム１４に対して、前後を逆に取り付けることが可能となっている。
【００４４】
図４〜図１０を参照して、下収納袋２０について説明する。下収納袋２０全体は、シート状の部材によってほぼ直方体状に形成されている。これに対して、後述する上収納袋３０は、フレーム本体３１の内側に、シート状の部材によってほぼ直方体状に形成された収納袋本体３２が嵌め込まれるようにして構成されている。つまり、下収納袋２０は、上収納袋３０とは異なり、フレーム本体を有していない。図５に示すように、下収納袋２０は、前後左右の４つの側面における上端部が、上述の保持フレーム１４の内側に位置するように配置されており、前折り返し（折り返し）２１、左折り返し（折り返し）２２、右折り返し（不図示）によって、保持フレーム１４に取り付けられている。すなわち、これら前折り返し２１、左折り返し２２、右折り返しは、それぞれの基端部が、下収納袋２０の前側面、左右の側面と上面との境界に相当する稜線部近傍に連結されていて、先端側を保持フレーム１４の外側に垂らすようにして、それぞれのボタンの一方ａを、側面側のボタンの他方ｂに嵌めることで、保持フレーム１４に係止する。これにより、下収納部２０全体は、保持フレーム１４によって吊り下げられるように保持される。なお、図４に示すように、前折り返し部２１における係合ピン１４ａに対応する位置には、透孔２１ａが設けてあって、係合ピン１４ａはこの透孔２１ａを貫通して前方に突出されている。
【００４５】
下収納袋２０は、その下面が、上述の走行フレーム１０の前後の連結バー１３，１３に載せられるが、ペットを入れた状態において、全体の重量は、主に前折り返し２１、左押し返し２２、右折り返しによって支持されるようになっている。図６に示すように、下収納袋２０の下面には、固定バンド２３が配設されている。固定バンド２３は、前側の連結バー１３近傍に配置された固着部２３ａを介して下収納袋２０に固定されており、後端側の折返し部２３ｂを後側の連結バー１３に掛けて前側に折り返した後、係止具２３ｃによって止めている。
【００４６】
図４，図７に示すように、下収納袋２０の上面は、上面フラップ（非透光性シート状部材）２４によって開閉自在に覆われている。上面フラップ２４は、光を通さないシート状の部材によって形成されており、後端側が固定されていて、前端側から徐々にロールアップして、後端に配置された係止バンド（保持部材）２４ａによって止めることができるようになっている。図７に示すように、上面フラップ２４の下には、メッシュカバー（通気性シート状部材）２５が設けてある。メッシュカバー２５は、中央側にメッシュ窓２５ｂを有していて、前端，左端，及び右端がファスナによって止められており、２つの開閉具２５ａ，２５ａの操作により、閉鎖し、または前端，左端，及び右端を外して、上面を大きく開放できるようになっている。これにより、上面側からのペットの出し入れを容易にしている。また、メッシュ窓２５ｂによって通気性を確保できるので、中に収納したペットの快適性を向上させることができる。本実施形態では、上述の上面フラップ２４とメッシュカバー２５とによって開閉扉を構成している。
【００４７】
下収納袋２０の内側には、図８に示すように、右の側面の内側、及び左の側面の内側に、内ポケット２６が設けてあり（ただし、図８では、右の内ポケット２６のみを図示している。）、その開口部は、面ファスナ付きのポケットカバー２６ａによって開閉されるようになっている。これら、内ポケット２６には、例えば、保冷剤や保温剤を入れることで、内部に収納されたペットの快適性をさらに向上させることができる。
【００４８】
図８に示すように、下収納袋２０の底面には、図８に示すように、床部２９ａと、その前端側及び後端側に折曲部２９ｂを有する床板（床部材）２９が配設されている。下収納袋２０に入れられるペットは、この床板２９の上に乗せられることになる。この床板２９は、表裏を反転することで、床部２９ａの高さを変更することができる。すなわち、図８に示す状態に対して、床板２９を表裏反転した場合には、折曲部２９ｂが脚部のように作用して、床部２９ａの高さを高くすることになる。このように、床部２９ａが高くなれば、例えば、中にいるペットが小さいペットである場合に、下収納袋２０の上面を開放したときに、このペットが、前側面の上端に手を掛けやすくなる。
【００４９】
図９，図１０に示すように、下収納袋２０の前面は、前面フラップ（非透光性シート状部材）２７によって開閉自在に覆われている。前面フラップ２７は、光を通さないシート状部材によって形成されており、上端側が固定されていて、下端側から徐々にロールアップして、上端に配置された係止バンド（保持部材）２７ａによって止めることができるようになっている。図７に示すように、前面フラップ２７の内側には、メッシュカバー（通気性シート状部材）２８が設けてある。メッシュカバー２８は、中央側にメッシュ窓２８ｂを有していて、上端，左端，及び右端がファスナによって止められており、２つの開閉具２８ａ，２８ａの操作により、閉鎖し、または上端，左端，及び右端を外して、前面を大きく開放できるようになっている。これにより、前面側からのペットの出し入れを容易にしている。また、メッシュ窓２８ｂによって通気性を確保できるので、中に収納したペットの快適性を向上させることができる。本実施形態では、上述の前面フラップ２７とメッシュカバー２８とによって開閉扉を構成している。
【００５０】
図１０に示すように、走行フレーム１０の保持フレーム１４（図２，図３参照）に装着された状態の下収納袋２０は、その上面が、左右のメインフレーム１１，１１のグリップ１１ａ，１１ａよりも下に位置するようになっている。これにより、次に説明する上収納袋３０を下収納袋２０の上面に載せるように取り付けた場合に、グリップ１１ａ，１１ａが上収納袋３０の位置ずれや脱落を有効に防止することができる。
【００５１】
図１１，図１２に示すように、上収納袋３０は、フレーム本体３１と、このフレーム本体３１の内側に嵌めるように取り付けられる収納袋本体３２とによって構成されている。図１２に示すように、フレーム本体３１は、上フレーム３３と下フレーム３４と２つの連結フレーム３５，３５と４本の台座３６と、一対の把手３７とを有している。このうち、上フレーム３３は、上面視がほぼ角丸の長方形状に形成されている。なお、上フレーム３３は、上述の走行フレーム１０側の保持フレーム１４とほぼ同形に形成されている。下フレーム３４は、左右方向を向いた前フレーム３４ａ，後フレーム３４ｂを有しており、上フレーム３３と同じく上面視がほぼ長方形状に形成されていて、前後方向の寸法は、上フレーム３３よりも長く、左右方向の寸法は、上フレーム３３よりも短くなるように形成されている。前側の連結フレーム３５は、「コ」字形に形成されていて、２つの上端部がそれぞれ上フレーム３３の左側及び右側に位置する部分の前端側に固定されており、下端部が下フレーム３４の前端側に固定されている。また、後側の連結フレーム３５も同様に「コ」字形に形成されていて、２つの上端部がそれぞれ上フレーム３３の左側及び右側に位置する部分の後端側に固定されており、下端部が下フレーム３４の後端側に固定されている。
【００５２】
４本の台座３６の内、２本は、下フレーム３４の前フレーム３４ａの下面に固定されている。これら２本の台座３６，３６は棒状に形成されていて、左右方向の中央に間隙Ｇを設けるようにして固定されている。２本の台座３６の外側部分は、前フレーム３４ａの外側に突出されており、ゴム性のキャップ（滑り止め）３６ａ，３６ａが装着されている。４本の台座２６のうち、残りの２本の台座３６，３６は、下フレーム３４の後フレーム３４ｂの下面に固定されている。これら台座３６，３６は棒状に形成されていて、左右方向の中央に間隙Ｇを設けるようにして固定されている。２本の台座３６の外側部分は、後フレーム３４ｂの外側に突出されており、ゴム性のキャップ（滑り止め）３６ａ，３６ａが装着されている。
【００５３】
上述の前側及び後側の間隙Ｇ，Ｇは、上収納袋３０を走行フレーム１０に装着する際に、保持フレーム１４の係合ピン１４ａ，１４ａに係合されるものである。また、上述の台座１６は、上収納袋３０を個別に使用して、床面や地面に置いた際に、キャップ３６ａが床面や地面に接触することになり、これらキャップ３６が滑り止めとして有効に作用する。
【００５４】
一対の把手３７，３７は、図１２に示すように、上フレーム３３の前側及び後側に位置する部分における左右方向の中央部に、揺動自在に取り付けられている。一対の把手３７は、図１１に示す倒伏姿勢（ただし、図１１に示す状態からさらに倒伏させることができる。）と、図１２に示す起立姿勢とをとることができる。上述の上フレーム３３の左側及び右側に位置する部分の前後方向の中央近傍には、それぞれ固定バンド３８，３８が取り付けられている。これら固定バンド３８，３８は、上収納袋３０を走行フレーム１０に装着する際に、保持フレーム１４側のグリップ１１ａ，１１ａに固定されるものである。
【００５５】
図１１に示すように、収納袋本体３２は、フレーム本体３１の内側に嵌め込まれるほぼ長方形状の収納部４０と、メッシュ（メッシュ状部材）４１とによって構成されている。収納部４０は、上面に開口部を有し、この開口部の周端縁近傍に設けられた折り返し部４２を上フレーム３３の外側に掛けて、ボタンで止めることにより、フレーム本体３１に取り付けられる。メッシュ４３は、その基端側が収納部４０の開口部の周端縁に固定されており、先端側の折返し４３を把手３７に巻き付けてボタンによって止めている。これにより、２本の把手３７を外側に倒伏させて開くことにより、メッシュ４１が開放され、収納部４０の内側にペットを出し入れすることができる。また、２本の把手３７を内側に起立させて閉じることにより、メッシュ４１が閉鎖される。
【００５６】
上収納部３０は、図１に示すように、下収納部２０の上に重ねるようにして走行フレーム１０に装着して使用することができる。上収納部３０を走行フレーム１０に装着するには、上収納部３０を上方から２つのグリップ１１ａ，１１ａの間を通して走行フレーム１０の保持フレーム１４に載せる。このとき、保持フレーム１４側の係合ピン１４ａ，１４ａに対し、上収納部３０側の台座１６の間隙Ｇ，Ｇを係合させる。これにより、保持フレーム１４に対して、上収納部３０の位置決めをすることができる。さらに、上収納部３０の固定バンド３８をグリップ１１ａ，１１ａに固定する。これらにより、上収納部３０の位置ずれや脱落を確実に防止することが可能となる。
【００５７】
本実施形態によると、例えば、飼い主が２匹のペットを連れて外出する際、一匹を下収納部２０に入れ、他の一匹を上収納部３０に入れて外出することができる。２匹のペットを１つの収納袋に入れた場合、例えば、２匹が仲の悪いもの同士で合った場合には、お互いに吠え合って、通行人等に迷惑をかけたり、ペットにストレスが溜まったりするおそれがあるが、本実施形態では、それぞれのペットを下収納部２０と上収納部３０とに個別に入れることができるので、お互いに吠え合って、通行人に迷惑を掛けたり、ペットにストレスがたまったりするようなことはない。
【００５８】
また、収納袋が１つの従来と比較した場合、下収納袋２０と上収納袋３０とを上下に重ねることにより、左右方向及び前後方向の占有面積を増加させることがないので、ペット用カート１全体の取り回しが容易となる。
【００５９】
また、本実形態によると、下収納袋２０を保持する保持フレーム１４と、上収納袋３０を保持する保持フレーム１４とを共通化することができるので、その分、走行フレーム１０の構成を簡略化することができる。
【００６０】
また、走行フレーム１０に対する上収納部３０の着脱が容易であるので、上収納部３０を単独で、ペットキャリーとして活用することができる。
【００６１】
また、飼い主は、走行フレーム１０に対して、下収納袋２０と上収納袋３０の双方を装着した状態で、走行フレーム１０のサイドフレーム１０Ａ，１０Ｂにおけるメインフレーム１１のグリップ１１ａ，１１ａを握ってペット用カート１全体を安定した姿勢で持ち上げることが可能であるので、ちょっとした段差や縁石を越える場合に便宜である。なお、グリップ１１ａ，１１ａは、上収納袋３０が取り外された状態においても同様に使用することができる。
【００６２】
また、図１，図５，図１４に示すように、下収納袋２０の後面（背面）に物入れ５１を取り付けた場合には、この物入れ５１に、ペットを外出させる際に必要となる水飲み皿やペットフードを入れて持ち歩くことができる。
【００６３】
また、図１３に示すように、走行フレーム１０の手押しフレーム１５の手押し部１５ａにバーパッド５２を取り付けた場合には、このバーパッド５２を介して、手押しフレーム１５を握りやすくすることができる。
【００６４】
また、図１４に示すように、バーパッド５２に係止バンド５３ａ，５３ａを使用して、ラック５３を取り付けた場合には、例えば、財布や携帯電話等の小物を便宜に収納することができる。
【００６５】
また、図１５に示すように、下収納袋２０の下面に、布状のハンモック５４を取り付けた場合には、下収納袋２０の下面とこのハンモック５４との間の空間に、例えば、シート等を収納することができる。
【００６６】
なお、上述のペット用カート１において、下収納部２０の背面にも、前面と同様のフラップやメッシュカバーを有する開閉扉（不図示）を設けるようにしてもよい。
【図面の簡単な説明】
【００６７】
【図１】ペット用カートを左側からみた図である。
【図２】走行フレーを正面側斜め上方からみた図である。
【図３】走行フレームに、上収納袋のフレーム本体を載置した状態を、正面側斜め上方からみた図である。
【図４】走行フレームに下収納袋を挿着した状態を、正面側斜め上方からみた図である。
【図５】走行フレームの保持フレームに下収納袋を取り付ける方法を説明する図である。
【図６】走行フレームに装着された状態の下収納袋を下面側から見た図である。
【図７】上収納袋の天面フラップを巻き上げた状態を説明する斜視図である。
【図８】上収納袋の内側の内ポケットを説明する斜視図である。
【図９】下収納袋の前面フラップを持ち上げた状態を説明する正面から見た図である。
【図１０】下収納袋の前面フラップを巻き上げ、さらにメッシュカバーを開いた状態を示す斜視図である。
【図１１】上収納袋の上面を開口した状態を説明する斜視図である。
【図１２】上収納袋のフレーム本体を示す斜視図である。
【図１３】手押しフレームに取り付けたバーパッドを説明する斜視図である。
【図１４】ペット用カートの背面側に取り付けたラック、物入れを説明する図である。
【図１５】下収納袋の下面に取り付けたハンモックを示す図である。
【図１６】走行フレーム側の係合ピンと、上収納袋側のギャップとの係合状態を説明する拡大図である。
【符号の説明】
【００６８】
１          ペット用カート
１０        走行フレーム
１０Ａ      左のサイドフレーム
１０Ｂ      右のサイドフレーム
１１ａ      グリップ
１３        連結バー（連結部材）
１４        保持フレーム
１４ａ      係合ピン（係合凸部）
１４ｂ      左フレーム
１４ｃ      右フレーム
１４ｄ      前フレーム
１４ｅ      後フレーム
１７        キャスタ
２０        下収納袋
２１        前折り返し（折り返し）
２２        横折り返し（折り返し）
２３        固定バンド
２４        上面フラップ（非透光性シート状部材：開閉扉）
２４ａ      係止バンド（保持部材）
２５        メッシュカバー（通気性シート状部材：開閉扉）
２６        内ポケット
２７        前面フラップ（非透光性シート状部材：開閉扉）
２７ａ      係止バンド（保持部材）
２８        メッシュカバー（通気性シート状部材：開閉扉）
２９        床板（床部材）
３０        上収納袋
３１        フレーム本体
３２        収納袋本体
３７        把手
４０        収納部
４１        メッシュ（メッシュ状部材）
Ｇ          ギャップ（係合凹部）
【図１】
0003133057.tif 000003
【図２】
0003133057.tif 000004
【図３】
0003133057.tif 000005
【図４】
0003133057.tif 000006
【図５】
0003133057.tif 000007
【図６】
0003133057.tif 000008
【図７】
0003133057.tif 000009
【図８】
0003133057.tif 000010
【図９】
0003133057.tif 000011
【図１０】
0003133057.tif 000012
【図１１】
0003133057.tif 000013
【図１２】
0003133057.tif 000014
【図１３】
0003133057.tif 000015
【図１４】
0003133057.tif 000016
【図１５】
0003133057.tif 000017
【図１６】
0003133057.tif 000018